(57)【要約】【課題】ユーザの利便性を向上する。【解決手段】リモコン２０は、操作部２５の操作に応じて、ランキング情報記憶部２４１に記憶された年齢別楽曲ランキング情報や年齢別歌手ランキング情報に基づき、複数のカラオケ楽曲や歌手の操作ユーザに関する順位が表された楽曲ランキングリストＬ１，Ｌ３や歌手ランキングリストＬ２を、表示部２６に表示させ、操作部２５を介して、対象とする同伴ユーザに係る画像ＰＰを指定するための指定操作を受け付け、指定操作を受け付けた場合に、楽曲ランキングリストＬ１，Ｌ３や歌手ランキングリストＬ２と併せて、ランキング情報記憶部２４１に記憶された年齢別楽曲ランキング情報や年齢別歌手ランキング情報に基づき、楽曲ランキングリストＬ１，Ｌ３や歌手ランキングリストＬ２に含まれる各カラオケ楽曲や各歌手の、指定操作により指定された画像ＰＰに関する順位を、表示部２６に表示させる。【選択図】図７
2014235293.tif 000002
【特許請求の範囲】
【請求項１】
所定の表示を行う表示手段、及び、ユーザが操作可能な操作手段、を有し、前記操作手段の操作に応じて、楽曲再生装置によるカラオケ楽曲の再生の予約を実行可能な操作端末であって、
前記ユーザに関する複数の商品の消費履歴に基づく、複数の前記カラオケ楽曲又は歌手の前記ユーザに関するランキング情報を記憶する第１記憶手段と、
前記操作手段の操作に応じて、前記第１記憶手段に記憶されたランキング情報に基づき、前記複数のカラオケ楽曲又は歌手の操作ユーザに関する第１順位が表されたランキングリストを、前記表示手段に表示させる第１表示制御手段と、
前記操作手段を介して、前記操作ユーザと別の１人以上の他ユーザのうち、対象とする他ユーザに係る他ユーザ情報を指定するための指定操作を受け付ける指定受付手段と、
前記指定受付手段が前記指定操作を受け付けた場合に、前記ランキングリストと併せて、前記第１記憶手段に記憶されたランキング情報に基づき、前記ランキングリストに含まれる各カラオケ楽曲又は各歌手の、前記指定操作により指定された他ユーザ情報に関する第２順位を、前記表示手段に表示させる第２表示制御手段と、
を有することを特徴とする操作端末。
【請求項２】
前記指定受付手段は、
前記操作手段を介して、前記１人以上の他ユーザとしての前記操作ユーザに同伴する同伴ユーザのうち、対象とする同伴ユーザに係る前記他ユーザ情報としての同伴ユーザ情報を指定するための指定操作を受け付け、
前記第２表示制御手段は、
前記ランキングリストと併せて、前記ランキングリストに含まれる各カラオケ楽曲又は各歌手の、前記指定操作により指定された同伴ユーザ情報に関する第２順位を、前記表示手段に表示させる
ことを特徴とする請求項１に記載の操作端末。
【請求項３】
前記第１表示制御手段は、
前記複数のカラオケ楽曲又は歌手の、前記操作ユーザに係る少なくとも年齢又は生年を含む操作ユーザ属性に適合する第１適合ユーザでの第１順位が表されたランキングリストを、前記表示手段に表示させる
ことを特徴とする請求項２に記載の操作端末。
【請求項４】
前記操作手段を介して、利用認証を要求するための要求操作を受け付ける要求受付手段をさらに有し、
前記指定受付手段は、
前記操作手段を介して、前記表示手段に表示された、１人以上の前記利用認証済みの前記同伴ユーザに係る１つ以上の前記同伴ユーザ情報のうち、対象とする前記利用認証済みの同伴ユーザに係る同伴ユーザ情報を指定するための指定操作を受け付け、
前記第２表示制御手段は、
前記ランキングリストと併せて、前記ランキングリストに含まれる各カラオケ楽曲又は各歌手の、前記指定操作により指定された同伴ユーザ情報に対応する前記利用認証済みの同伴ユーザに係る少なくとも年齢又は生年を含む第１同伴ユーザ属性に適合する第２適合ユーザでの第２順位を、前記表示手段に表示させる
ことを特徴とする請求項３に記載の操作端末。
【請求項５】
前記指定受付手段は、
前記操作手段を介して、前記対象とする同伴ユーザに係る前記同伴ユーザ情報としての少なくとも年齢又は生年を含む第２同伴ユーザ属性を指定するための指定操作を受け付け、
前記第２表示制御手段は、
前記ランキングリストと併せて、前記ランキングリストに含まれる各カラオケ楽曲又は各歌手の、前記指定操作により指定された第２同伴ユーザ属性に適合する第３適合ユーザでの第２順位を、前記表示手段に表示させる
ことを特徴とする請求項３に記載の操作端末。
【請求項６】
前記第１表示制御手段は、
前記複数の歌手の前記操作ユーザに関する第１順位が表されたランキングリストを、前記表示手段に表示させ、
かつ、
前記表示手段が前記ランキングリストを表示した状態において、前記操作手段を介して、前記ランキングリストに含まれる前記複数の歌手のうち、対象とする１の歌手を選択するための選択操作を受け付ける選択受付手段をさらに有し、
前記第１表示制御手段は、
前記選択受付手段が前記選択操作を受け付けた場合に、前記選択操作により選択された歌手に係る複数の前記カラオケ楽曲の前記操作ユーザに関する第１順位が表されたランキングリストを、前記表示手段に表示させる
ことを特徴とする請求項１乃至５のいずれか１項に記載の操作端末。
【請求項７】
前記操作手段を介して、前記ランキングリストに含まれる前記複数のカラオケ楽曲又は歌手に係る識別情報の順序を、前記第２順位に応じた順序にソートするためのソート操作を受け付けるソート受付手段をさらに有する
ことを特徴とする請求項１乃至６のいずれか１項に記載の操作端末。
【請求項８】
前記第２表示制御手段は、
前記ランキングリストと併せて前記第２順位を前記表示手段に表示させる際に、前記ランキングリストに含まれる前記複数のカラオケ楽曲又は歌手のうち、前記第１順位と前記第２順位との順位差が所定の値よりも大きいカラオケ楽曲又は歌手に関する表示態様を、他のカラオケ楽曲又は歌手に関する表示態様と異ならせる
ことを特徴とする請求項１乃至７のいずれか１項に記載の操作端末。
【請求項９】
前記第１記憶手段は、
前記ユーザに関する複数の商品としての前記カラオケ楽曲の前記消費履歴としての歌唱履歴に基づく前記ランキング情報を記憶する
ことを特徴とする請求項１乃至８のいずれか１項に記載の操作端末。
【請求項１０】
カラオケ楽曲の再生を行う再生手段を有する楽曲再生装置と、所定の表示を行う表示手段、及び、ユーザが操作可能な操作手段、を有し、前記操作手段の操作に応じて、前記楽曲再生装置の前記再生手段による前記カラオケ楽曲の再生の予約を実行可能な操作端末と、前記操作端末に対し通信可能に接続されたサーバと、を有するカラオケシステムであって、
前記サーバは、
前記ユーザに関する複数の商品の消費履歴を記憶する第２記憶手段と、
前記第２記憶手段に記憶された消費履歴に基づき、複数の前記カラオケ楽曲又は歌手の前記ユーザに関するランキング情報を生成する生成手段と、
前記生成手段により生成されたランキング情報を、前記操作端末へ出力する出力手段と、
を有し、
前記操作端末は、
前記サーバの前記出力手段から出力されたランキング情報を入力する入力手段と、
前記入力手段により入力されたランキング情報を記憶する第３記憶手段と、
前記操作手段の操作に応じて、前記第３記憶手段に記憶されたランキング情報に基づき、前記複数のカラオケ楽曲又は歌手の操作ユーザに関する第２順位が表されたランキングリストを、前記表示手段に表示させる第１表示制御手段と、
前記操作手段を介して、前記操作ユーザと別の１人以上の他ユーザのうち、対象とする他ユーザに係る他ユーザ情報を指定するための指定操作を受け付ける指定受付手段と、
前記指定受付手段が前記指定操作を受け付けた場合に、前記ランキングリストと併せて、前記第３記憶手段に記憶されたランキング情報に基づき、前記ランキングリストに含まれる各カラオケ楽曲又は各歌手の、前記指定操作により指定された他ユーザ情報に関する第２順位を、前記表示手段に表示させる第２表示制御手段と、
を有する
ことを特徴とするカラオケシステム。
【請求項１１】
所定の表示を行う表示手段、及び、ユーザが操作可能な操作手段、を有し、前記操作手段の操作に応じて、楽曲再生装置によるカラオケ楽曲の再生の予約を実行可能な操作端末の演算手段に対し、
前記操作手段の操作に応じて、前記ユーザに関する複数の商品の消費履歴に基づく、複数の前記カラオケ楽曲又は歌手の前記ユーザに関するランキング情報に基づき、前記複数のカラオケ楽曲又は歌手の操作ユーザに関する第１順位が表されたランキングリストを、前記表示手段に表示させる第１表示制御手順と、
前記操作手段を介して、前記操作ユーザと別の１人以上の他ユーザのうち、対象とする他ユーザに係る他ユーザ情報を指定するための指定操作を受け付ける指定受付手順と、
前記指定受付手順で前記指定操作が受け付けられた場合に、前記ランキングリストと併せて、前記ランキング情報に基づき、前記ランキングリストに含まれる各カラオケ楽曲又は各歌手の、前記指定操作により指定された他ユーザ情報に関する第２順位を、前記表示手段に表示させる第２表示制御手順と、
を実行させるための、カラオケプログラム。
【発明の詳細な説明】
【技術分野】
【０００１】
本発明は、カラオケサービスに用いられる、操作端末、カラオケシステム、及びカラオケプログラムに関する。
【背景技術】
【０００２】
従来、カラオケサービスに用いられる操作端末が知られている（例えば、特許文献１参照）。この操作端末（カラオケリモコン装置）は、所定の検索モードによる検索にてヒットしたカラオケ楽曲の中から、利用者が任意のカラオケ楽曲を指定した状態で年代別データ抽出操作を行った場合、当該指定されたカラオケ楽曲に属する年代別データを一覧表示する機能を有する。
【先行技術文献】
【特許文献】
【０００３】
【特許文献１】特開２００５−２８３８０５号公報
【発明の概要】
【発明が解決しようとする課題】
【０００４】
近年では、操作端末において、複数のカラオケ楽曲又は歌手の、操作ユーザに関する順位（例えば、操作ユーザと同一の年齢の複数のユーザでの歌唱回数の順位等）が表されたランキングリストを表示することが行われている。ところで、上記ランキングリストと併せて、当該ランキングリストに含まれる各カラオケ楽曲又は各歌手の、操作ユーザと別の他ユーザ（例えば、操作ユーザに同伴する同伴ユーザ等）に関する順位（例えば、同伴ユーザと同一の年齢の複数のユーザでの歌唱回数の順位等）を表示することができれば、非常に便利である。
【０００５】
本発明の目的は、ユーザの利便性を向上できる、操作端末、カラオケシステム、及びカラオケプログラムを提供することにある。
【課題を解決するための手段】
【０００６】
上記目的を達成するために、本願発明の操作端末は、所定の表示を行う表示手段、及び、ユーザが操作可能な操作手段、を有し、前記操作手段の操作に応じて、楽曲再生装置によるカラオケ楽曲の再生の予約を実行可能な操作端末であって、前記ユーザに関する複数の商品の消費履歴に基づく、複数の前記カラオケ楽曲又は歌手の前記ユーザに関するランキング情報を記憶する第１記憶手段と、前記操作手段の操作に応じて、前記第１記憶手段に記憶されたランキング情報に基づき、前記複数のカラオケ楽曲又は歌手の操作ユーザに関する第１順位が表されたランキングリストを、前記表示手段に表示させる第１表示制御手段と、前記操作手段を介して、前記操作ユーザと別の１人以上の他ユーザのうち、対象とする他ユーザに係る他ユーザ情報を指定するための指定操作を受け付ける指定受付手段と、前記指定受付手段が前記指定操作を受け付けた場合に、前記ランキングリストと併せて、前記第１記憶手段に記憶されたランキング情報に基づき、前記ランキングリストに含まれる各カラオケ楽曲又は各歌手の、前記指定操作により指定された他ユーザ情報に関する第２順位を、前記表示手段に表示させる第２表示制御手段と、を有することを特徴とする。
【０００７】
また、上記目的を達成するために、本願発明のカラオケシステムは、カラオケ楽曲の再生を行う再生手段を有する楽曲再生装置と、所定の表示を行う表示手段、及び、ユーザが操作可能な操作手段、を有し、前記操作手段の操作に応じて、前記楽曲再生装置の前記再生手段による前記カラオケ楽曲の再生の予約を実行可能な操作端末と、前記操作端末に対し通信可能に接続されたサーバと、を有するカラオケシステムであって、前記サーバは、前記ユーザに関する複数の商品の消費履歴を記憶する第２記憶手段と、前記第２記憶手段に記憶された消費履歴に基づき、複数の前記カラオケ楽曲又は歌手の前記ユーザに関するランキング情報を生成する生成手段と、前記生成手段により生成されたランキング情報を、前記操作端末へ出力する出力手段と、を有し、前記操作端末は、前記サーバの前記出力手段から出力されたランキング情報を入力する入力手段と、前記入力手段により入力されたランキング情報を記憶する第３記憶手段と、前記操作手段の操作に応じて、前記第３記憶手段に記憶されたランキング情報に基づき、前記複数のカラオケ楽曲又は歌手の操作ユーザに関する第２順位が表されたランキングリストを、前記表示手段に表示させる第１表示制御手段と、前記操作手段を介して、前記操作ユーザと別の１人以上の他ユーザのうち、対象とする他ユーザに係る他ユーザ情報を指定するための指定操作を受け付ける指定受付手段と、前記指定受付手段が前記指定操作を受け付けた場合に、前記ランキングリストと併せて、前記第３記憶手段に記憶されたランキング情報に基づき、前記ランキングリストに含まれる各カラオケ楽曲又は各歌手の、前記指定操作により指定された他ユーザ情報に関する第２順位を、前記表示手段に表示させる第２表示制御手段と、を有することを特徴とする。
【０００８】
また、上記目的を達成するために、本願発明のカラオケプログラムは、所定の表示を行う表示手段、及び、ユーザが操作可能な操作手段、を有し、前記操作手段の操作に応じて、楽曲再生装置によるカラオケ楽曲の再生の予約を実行可能な操作端末の演算手段に対し、前記操作手段の操作に応じて、前記ユーザに関する複数の商品の消費履歴に基づく、複数の前記カラオケ楽曲又は歌手の前記ユーザに関するランキング情報に基づき、前記複数のカラオケ楽曲又は歌手の操作ユーザに関する第１順位が表されたランキングリストを、前記表示手段に表示させる第１表示制御手順と、前記操作手段を介して、前記操作ユーザと別の１人以上の他ユーザのうち、対象とする他ユーザに係る他ユーザ情報を指定するための指定操作を受け付ける指定受付手順と、前記指定受付手順で前記指定操作が受け付けられた場合に、前記ランキングリストと併せて、前記ランキング情報に基づき、前記ランキングリストに含まれる各カラオケ楽曲又は各歌手の、前記指定操作により指定された他ユーザ情報に関する第２順位を、前記表示手段に表示させる第２表示制御手順と、を実行させる。
【発明の効果】
【０００９】
本発明によれば、ユーザの利便性を向上することができる。
【図面の簡単な説明】
【００１０】
【図１】本発明の一実施の形態態のカラオケシステムの全体構成を表すブロック図である。
【図２】ユーザ情報データベースの記憶内容の一例を表すテーブルである。
【図３】歌唱履歴データベースの記憶内容の一例を表すテーブルである。
【図４】楽曲情報データベースの記憶内容の一例を表すテーブルである。
【図５】リモコンの制御部のＣＰＵが実行する制御手順を表すフローチャートである。
【図６】ステップＳ１０の手順により、表示部に表示された楽曲ランキング画面の一例を表す説明図である。
【図７】ステップＳ４０の手順により、表示部に表示された楽曲ランキング画面の一例を表す説明図である。
【図８】ステップＳ６０の手順により、表示部に表示された楽曲ランキング画面の一例を表す説明図である。
【図９】ステップＳ９０の手順により、表示部に表示された歌手ランキング画面の一例を表す説明図である。
【図１０】ステップＳ１５０の手順により、表示部に表示された楽曲ランキング画面の一例を表す説明図である。
【発明を実施するための形態】
【００１１】
以下、本発明の一実施の形態を図面を参照しつつ説明する。
【００１２】
まず、図１を参照しつつ、本実施形態のカラオケシステムの全体構成について説明する。
【００１３】
図１に示すように、本実施形態のカラオケシステム１は、カラオケ装置１０（楽曲再生装置）と、リモコン２０（操作端末）と、ホストサーバ３０（サーバ）とを有する。
【００１４】
カラオケ装置１０とリモコン２０とは、カラオケ楽曲の再生サービスを提供するカラオケ店舗等のカラオケルームＫＲに設置され、例えば無線又は有線によるＬＡＮ等のネットワークＮＷ１を介し、互いに情報送受信可能に接続されている。また、カラオケ装置１０及びリモコン２０と、ホストサーバ３０とは、上記ネットワークＮＷ１と、例えばインターネット等のネットワークＮＷ２とを介し、互いに情報送受信可能に接続されている。
【００１５】
カラオケ装置１０は、後述の音源１３等によりＭＩＤＩ（登録商標）データを再生すると共に、当該ＭＩＤＩデータの再生に合わせて、後述のモニタ１９により背景映像データに基づく背景映像と歌詞データに基づく歌詞テロップとを表示させることで、カラオケ楽曲の再生サービスを提供する。このカラオケ装置１０は、制御部１１と、操作部１２と、音源１３と、音声制御部１４と、通信制御部１５と、大容量記憶装置１６とを有する。また、カラオケ装置１０には、マイク１７、スピーカ１８、及びモニタ１９が、無線通信又はケーブルにより接続されている。
【００１６】
制御部１１は、図示しないＣＰＵと、図示しないＲＯＭやＲＡＭ等のメモリとを備える。この制御部１１のＣＰＵは、ＲＡＭの一時記憶機能を利用しつつ、ＲＯＭや大容量記憶装置１６に記憶された各種プログラムを実行することで、カラオケ装置１０全体の制御を行う。
【００１７】
操作部１２は、例えば複数のキーやスイッチ等から構成される。ユーザは、この操作部１２やリモコン２０の後述の操作部２５を介して、音源１３等によるカラオケ楽曲の再生の予約操作等の各種操作を行うことができる。
【００１８】
大容量記憶装置１６は、例えばハードディスク等から構成され、各種情報を記憶する。この大容量記憶装置１６は、ＭＩＤＩデータ記憶部１６１と、背景映像データ記憶部１６２と、歌詞データ記憶部１６３とを備える。ＭＩＤＩデータ記憶部１６１には、例えばホストサーバ３０から配信された複数のカラオケ楽曲に係るＭＩＤＩデータが記憶されている。背景映像データ記憶部１６２には、例えばホストサーバ３０から配信された複数のカラオケ楽曲に係る背景映像データが記憶されている。歌詞データ記憶部１６３には、例えばホストサーバ３０から配信された複数のカラオケ楽曲に係る歌詞データが記憶されている。
【００１９】
音源１３は、制御部１１のＣＰＵにより上記ＭＩＤＩデータ記憶部１６１から読み出されたＭＩＤＩデータを再生し、その再生による音声信号を音声制御部１４へ出力する。
【００２０】
マイク１７は、ユーザによるカラオケ歌唱の音声を音声信号に変換し、その音声信号を音声制御部１４へ出力する。
【００２１】
音声制御部１４は、音源１３から出力された音声信号と、マイク１７から出力された音声信号とを、合成・増幅し、その合成・増幅による音声信号をスピーカ１８へ出力する。なお、上記音源１３及びこの音声制御部１４が、再生手段を構成する。以下適宜、これら音源１３及び音声制御部１４を、省略して「音源１３等」という。
【００２２】
スピーカ１８は、音声制御部１４から出力された音声信号を音声出力する。
【００２３】
モニタ１９は、例えば液晶ディスプレイ等から構成され、各種表示を行う。例えばモニタ１９は、制御部１１のＣＰＵの制御により、音源１３等によるＭＩＤＩデータの再生に合わせて、制御部１１のＣＰＵにより上記背景映像データ記憶部１６２から読み出された背景映像データに基づく背景映像、及び、制御部１１のＣＰＵにより上記歌詞データ記憶部１６３から読み出された歌詞データに基づく歌詞テロップ等を表示することができる。
【００２４】
通信制御部１５は、リモコン２０やホストサーバ３０との間で行われる情報通信の制御を行う。
【００２５】
ホストサーバ３０は、制御部３１と、大容量記憶装置３３と、通信制御部３２とを有する。また、ホストサーバ３０には、入力装置３４及びモニタ３５が、無線通信又はケーブルにより接続されている。
【００２６】
制御部３１は、図示しないＣＰＵと、図示しないＲＯＭやＲＡＭ等のメモリとを備える。この制御部３１のＣＰＵは、ＲＡＭの一時記憶機能を利用しつつ、ＲＯＭや大容量記憶装置３３に記憶された各種プログラムを実行することで、ホストサーバ３０全体の制御を行う。
【００２７】
入力装置３４は、例えばキーボードやマウス等から構成され、各種入力を行うことが可能である。
【００２８】
大容量記憶装置３３は、例えばハードディスク等から構成され、各種情報を記憶する。この大容量記憶装置３３には、複数のカラオケ楽曲に係るＭＩＤＩデータ、背景映像データ、及び歌詞データ等が記憶されている。また、大容量記憶装置３３は、ユーザ情報データベース３３１０（後述の図２参照）を記憶するユーザ情報記憶部３３１と、歌唱履歴データベース３３２０（後述の図３参照）を記憶する歌唱履歴記憶部３３２（第２記憶手段）と、楽曲情報データベース３３３０（後述の図４参照）を記憶する楽曲情報記憶部３３３とを備える。
【００２９】
図２に、上記ユーザ情報データベース３３１０の一例を示す。
【００３０】
図２に示すユーザ情報データベース３３１０には、後述のユーザＩＤを持つ複数のユーザ（以下適宜「登録ユーザ」という）に係るユーザ情報が記憶されている。ユーザ情報は、「ユーザＩＤ」「パスワード」「名称」「年齢」「性別」「画像」等の項目で表される情報を含む。
【００３１】
「ユーザＩＤ」の項目には、例えば英数字等の文字列からなる登録ユーザの固有の識別情報であるユーザＩＤが格納されている。「パスワード」の項目には、例えば英数字等の文字列からなるパスワード（図中では「＊＊＊＊＊」と略記）が格納されている。「名称」の項目には、登録ユーザの氏名や氏、名、ニックネーム等の名称情報が格納されている。「年齢」の項目には、登録ユーザの年齢情報（又は、生年月日情報や生年情報でもよい）が格納されている。「画像」の項目には、登録ユーザに係る画像（例えば、アバターや写真、イラスト等）のデータ（画像データ）が格納されている。
【００３２】
また、図３に、上記歌唱履歴データベース３３２０の一例を示す。
【００３３】
図３に示す歌唱履歴データベース３３２０には、複数の登録ユーザに関する複数のカラオケ楽曲（商品）の歌唱履歴（消費履歴）を表す歌唱履歴情報が記憶されている。歌唱履歴情報は、歌唱を行った（詳細には、カラオケ楽曲の再生の予約操作を行った）登録ユーザに係るユーザＩＤと、当該登録ユーザにより歌唱された（詳細には、再生の予約操作が行われた）カラオケ楽曲の固有の識別情報である楽曲ＩＤと、当該カラオケ楽曲の歌手の固有の識別情報である歌手ＩＤと、当該カラオケ楽曲が歌唱された（詳細には、再生の予約操作が行われた）時刻である歌唱時刻とを含む。
【００３４】
また、図４に、上記楽曲情報データベース３３３０の一例を示す。
【００３５】
図４に示す楽曲情報データベース３３３０には、複数のカラオケ楽曲に係る楽曲情報が記憶されている。楽曲情報は、カラオケ楽曲に係る楽曲ＩＤと、当該カラオケ楽曲の識別情報である楽曲名と、当該カラオケ楽曲の歌手の識別情報である歌手名とを含む。
【００３６】
ここで、本実施形態では、上記制御部３１のＣＰＵは、上記ユーザ情報データベース３３１０に記憶されたユーザ情報に基づき、複数の登録ユーザを各年齢ごとに分類する。なお、制御部３１のＣＰＵは、複数の登録ユーザを、適宜の間隔（例えば５歳間隔）で区分された各年齢範囲ごとに分類してもよい。
【００３７】
そして、制御部３１のＣＰＵは、上記歌唱履歴データベース３３２０に記憶された歌唱履歴情報に基づき、各年齢ごとに、当該年齢に分類されている複数の登録ユーザによる各カラオケ楽曲ごとの歌唱回数を集計する。その後、制御部３１のＣＰＵは、各年齢ごとに（又は各生年ごとでもよい）、上記歌唱回数の多い複数（例えば１００）のカラオケ楽曲に順位を付与してランキング化した、年齢別楽曲ランキング情報（ランキング情報）を生成する。なお、制御部３１のＣＰＵは、各年齢範囲ごと、当該年齢範囲に分類されている複数の登録ユーザによる各カラオケ楽曲ごとの歌唱回数を集計し、各年齢範囲ごとに、上記歌唱回数の多い複数のカラオケ楽曲に順位を付与してランキング化した、年齢別楽曲ランキング情報を生成してもよい。
【００３８】
また、上記制御部３１のＣＰＵは、上記歌唱履歴データベース３３２０に記憶された歌唱履歴情報に基づき、各年齢ごとに、当該年齢に分類されている複数の登録ユーザによる各歌手ごとの歌唱回数を集計する。その後、制御部３１のＣＰＵは、各年齢ごとに（又は各生年ごとでもよい）、上記歌唱回数の多い複数（例えば１００）の歌手に順位を付与してランキング化した、年齢別歌手ランキング情報（ランキング情報）を生成する。なお、制御部３１のＣＰＵは、各年齢範囲ごと、当該年齢範囲に分類されている複数の登録ユーザによる各歌手ごとの歌唱回数を集計し、各年齢範囲ごとに、上記歌唱回数の多い複数の歌手に順位を付与してランキング化した、年齢別歌手ランキング情報を生成してもよい。
【００３９】
なお、年齢別楽曲ランキング情報及び年齢別歌手ランキング情報を生成する制御部３１のＣＰＵが、特許請求の範囲に記載の生成手段として機能する。
【００４０】
なお、ここでは、制御部３１のＣＰＵが年齢別楽曲ランキング情報及び年齢別歌手ランキング情報の両方を生成する場合について説明するが、これに限られず、制御部３１のＣＰＵは、年齢別楽曲ランキング情報及び年齢別歌手ランキング情報のうち、どちらか一方のみを生成してもよい。
【００４１】
図１に示すように、モニタ３５は、例えば液晶ディスプレイ等から構成され、各種表示を行う。
【００４２】
通信制御部３２は、カラオケ装置１０やリモコン２０との間で行われる情報通信の制御を行う。上記制御部３１のＣＰＵは、この通信制御部３２により、上記のように生成された年齢別楽曲ランキング情報及び年齢別歌手ランキング情報を、リモコン２０へ出力する。なお、年齢別楽曲ランキング情報及び年齢別歌手ランキング情報をリモコン２０へ出力する通信制御部３２が、特許請求の範囲に記載の出力手段として機能する。
【００４３】
リモコン２０は、ネットワークＮＷ１を介し接続されたカラオケ装置１０を操作するために用いられ、ユーザによる後述の操作部２５の操作に応じて、カラオケ装置１０の音源１３等によるカラオケ楽曲の再生の予約を実行可能である。このリモコン２０は、制御部２１と、表示部２６（表示手段）と、操作部２５（操作手段）と、通信制御部２３と、大容量記憶装置２４とを有する。
【００４４】
制御部２１は、図示しないＣＰＵ（演算手段）と、図示しないＲＯＭやＲＡＭ等のメモリとを備える。この制御部２１のＲＯＭには、制御部２１のＣＰＵに対し後述の図５のフローに示す各手順を実行させるためのカラオケプログラムが予め記憶されている。なお、カラオケプログラムは、制御部２１のＲＯＭに代えて大容量記憶装置２４に記憶されていてもよい。また、制御部２１のＣＰＵは、ＲＡＭの一時記憶機能を利用しつつ、ＲＯＭや大容量記憶装置２４に記憶された各種プログラムを実行することで、リモコン２０全体の制御を行う。
【００４５】
表示部２６は、例えば液晶ディスプレイ等から構成され、各種表示を行う。
【００４６】
操作部２５は、表示部２６の表示領域の表面に沿って配置された、いわゆるタッチパネルから構成され、表示部２６の表示内容を透かした状態で視認しつつユーザが各種操作を行うことが可能である。なお、操作部２５は、タッチパネルから構成される場合に限られず、ボタン等から構成されてもよい。ユーザは、表示部２６に表示された画像（例えば、選択肢やテキスト等の画像）に対応する操作部２５部分に、指やスタイラス等により接触（タッチ）することで、当該画像に対応する選択肢やテキスト等の選択や入力等を行うことができる。これにより、ユーザは、操作部２５を介して各種操作を行うことができる。例えば、ユーザは、操作部２５を介して、利用認証を要求するための要求操作、具体的にはユーザＩＤ及びパスワードの入力操作を行う。上記制御部２１のＣＰＵは、ユーザＩＤ及びパスワードの入力操作を受け付けると、ユーザＩＤ及びパスワードをホストサーバ３０に照会し、サーバ３０からユーザＩＤ及びパスワードが正しいと通知されたら、ユーザの利用認証を行う。なお、ユーザＩＤ及びパスワードの入力操作を受け付ける制御部２１のＣＰＵが、特許請求の範囲に記載の要求受付手段として機能する。また、制御部２１のＣＰＵは、利用認証済みのユーザに係るユーザ情報を、サーバ３０の上記ユーザ情報データベース３３１０から取得し、ＲＡＭ又は大容量記憶装置２４に格納する。
【００４７】
通信制御部２３は、カラオケ装置１０やホストサーバ３０との間で行われる情報通信の制御を行う。上記制御部２１のＣＰＵは、この通信制御部２３により、上記のようにホストサーバ３０の通信制御部３２から出力された年齢別楽曲ランキング情報及び年齢別歌手ランキング情報を入力する。なお、ホストサーバ３０の通信制御部３２から出力された年齢別楽曲ランキング情報及び年齢別歌手ランキング情報を入力する通信制御部２３が、入力手段として機能する。
【００４８】
大容量記憶装置２４は、例えばハードディスク等から構成され、各種情報を記憶する。この大容量記憶装置２４には、上記のように通信制御部２３により入力された年齢別楽曲ランキング情報及び年齢別歌手ランキング情報を記憶するランキング情報記憶部２４１（第１記憶手段、第３記憶手段）を備える。
【００４９】
以下、図５を参照しつつ、リモコン２０の制御部２１のＣＰＵがＲＯＭに記憶されたカラオケプログラムにより実行する制御手順を説明する。
【００５０】
図５において、このフローに示す処理は、リモコン２０を操作する操作ユーザが利用認証済みである場合の処理である。このフローに示す処理は、利用認証済みの操作ユーザが操作部２５を介して楽曲ランキング画面を表示するための所定の操作を行って、制御部２１のＣＰＵが当該操作を受け付けた場合に開始される。
【００５１】
まず、ステップＳ１０で、制御部２１のＣＰＵは、ＲＡＭ又は大容量記憶装置２４に予め格納した操作ユーザに係るユーザ情報に含まれる年齢情報を参照し、上記ランキング情報記憶部２４１に記憶された年齢別楽曲ランキング情報中の操作ユーザの年齢部分を抽出して、後述の楽曲ランキングリストＬ１（ランキングリスト。後述の図６参照）を生成する。また、制御部２１のＣＰＵは、ＲＡＭ又は大容量記憶装置２４に予め格納した、操作ユーザと別の他ユーザとしての、操作ユーザに同伴する同伴ユーザ、具体的には利用認証済みの同伴ユーザに係る、ユーザ情報に含まれる画像データを取得する。そして、制御部２１のＣＰＵは、上記生成した楽曲ランキングリストＬ１と、上記取得した利用認証済みの同伴ユーザに係る画像データに対応する画像ＰＰ（他ユーザ情報、同伴ユーザ情報）とを含む楽曲ランキング画面を、表示部２６に表示させる。
【００５２】
図６に、上記ステップＳ１０の手順により、表示部２６に表示された楽曲ランキング画面の一例を示す。
【００５３】
図６に示す楽曲ランキング画面Ｄ１は、「あなたの年齢のカラオケランキング」画像Ｐ１と、「曲別」画像Ｐ２と、「歌手別」画像Ｐ３と、楽曲ランキングリストＬ１と、「前」画像Ｐ４と、「後」画像Ｐ５と、１人以上（この例では３人）の利用認証済みの同伴ユーザに係る１つ以上（この例では３つ）の画像ＰＰと、「ＴＯＰ」画像Ｐ６と、「戻る」画像Ｐ７とを含む。
【００５４】
楽曲ランキングリストＬ１には、複数のカラオケ楽曲の操作ユーザに関する順位（第１順位）として、操作ユーザの年齢（操作ユーザ属性。又は生年でもよい）に適合する、つまり当該年齢（又は生年）に分類されている複数の登録ユーザ（第１適合ユーザ）での歌唱回数の順位が、複数のカラオケ楽曲に係る識別情報である楽曲名及び歌手名と共に表されている。なお、操作ユーザに関する順位としては、上記に限られず、操作ユーザの年齢に適合する、つまり当該年齢を含む年齢範囲に分類されている複数の登録ユーザでの歌唱回数の順位でもよい。このとき、楽曲ランキングリストＬ１中の各カラオケ楽曲のうち、いわゆる急上昇曲（例えば、先週１００位→今週１０位となったカラオケ楽曲）や新曲等については、その旨をマーク又は優先表示してもよい。特に上記急上昇曲については、その理由をソーシャルネットワーキングサービスで配信したり表示部２６に表示してもよい。また、楽曲ランキングリストＬ１中の各カラオケ楽曲のうち、操作ユーザがよく歌唱するカラオケ楽曲又は歌唱したことがあるカラオケ楽曲や、操作ユーザが予め登録した好きなカラオケ楽曲については、その旨をマーク又は優先表示してもよい。
【００５５】
図５に示すように、ステップＳ２０では、制御部２１のＣＰＵは、操作ユーザの指等により、上記楽曲ランキング画面Ｄ１に含まれる「歌手別」画像Ｐ３に対応する操作部２５部分がタッチされたか否かを判定する。「歌手別」画像Ｐ３に対応する操作部２５部分がタッチされていない場合には、ステップＳ２０の判定は満たされず、ステップＳ３０に移る。
【００５６】
ステップＳ３０では、制御部２１のＣＰＵは、操作部２５を介して、上記楽曲ランキング画面Ｄ１に含まれる１つ以上の画像ＰＰのうち、対象とする利用認証済みの同伴ユーザに係る画像ＰＰを指定するための指定操作として、操作ユーザの指等により、上記対象とする利用認証済みの同伴ユーザに係る画像ＰＰに対応する操作部２５部分がタッチされることで当該画像ＰＰが指定されたか否かを判定する。なお、対象とする利用認証済みの同伴ユーザに係る画像ＰＰは、１つのみに限られるものではなく、複数でもよい。上記指定操作が受け付けられていない場合、つまり上記対象とする利用認証済みの同伴ユーザに係る画像ＰＰに対応する操作部２５部分がタッチされていない場合には、ステップＳ３０の判定は満たされず、後述のステップＳ７０に移る。一方、上記指定操作が受け付けられた場合、つまり上記対象とする利用認証済みの同伴ユーザに係る画像ＰＰに対応する操作部２５部分がタッチされることで当該画像ＰＰが指定された場合には、ステップＳ３０の判定が満たされて、ステップＳ４０に移る。
【００５７】
ステップＳ４０では、制御部２１のＣＰＵは、ＲＡＭ又は大容量記憶装置２４に予め格納した、上記ステップＳ３０で指定された画像ＰＰに対応する利用認証済みの同伴ユーザに係るユーザ情報に含まれる年齢情報を参照し、上記ランキング情報記憶部２４１に記憶された年齢別楽曲ランキング情報中の上記指定された画像ＰＰに対応する利用認証済みの同伴ユーザの年齢部分を抽出する。そして、制御部２１のＣＰＵは、上記楽曲ランキングリストＬ１と、上記利用認証済みの同伴ユーザに係る画像ＰＰと、上記抽出した年齢別楽曲ランキング情報中の上記指定された画像ＰＰに対応する利用認証済みの同伴ユーザの年齢部分に基づく、上記楽曲ランキングリストＬ１に含まれる各カラオケ楽曲の、上記指定された画像ＰＰに関する順位（第２順位）として、当該画像ＰＰに対応する利用認証済みの同伴ユーザの年齢（第１同伴ユーザ属性。又は生年でもよい）に適合する、つまり当該年齢（又は生年）に分類されている複数の登録ユーザ（第２適合ユーザ）での歌唱回数の順位とを含む、楽曲ランキング画面Ｄ１を、表示部２６に表示させる。なお、上記指定された画像ＰＰに関する順位としては、上記に限られず、当該画像ＰＰに対応する利用認証済みの同伴ユーザの年齢に適合する、つまり当該年齢を含む年齢範囲に分類されている複数の登録ユーザでの歌唱回数の順位でもよい。
【００５８】
図７に、上記ステップＳ４０の手順により、表示部２６に表示された楽曲ランキング画面Ｄ１の一例を示す。
【００５９】
図７に示す楽曲ランキング画面Ｄ１は、「あなたの年齢のカラオケランキング」画像Ｐ１と、「曲別」画像Ｐ２と、「歌手別」画像Ｐ３と、楽曲ランキングリストＬ１と、「前」画像Ｐ４と、「後」画像Ｐ５と、１人以上（この例では３人）の利用認証済みの同伴ユーザに係る１つ以上（この例では３つ）の画像ＰＰと、「ＴＯＰ」画像Ｐ６と、「戻る」画像Ｐ７と、「並べ替え」画像Ｐ８とを含む。また、楽曲ランキングリストＬ１に含まれる各カラオケ楽曲に係る楽曲名及び歌手名の欄には、当該カラオケ楽曲の、上記ステップＳ３０で指定された画像ＰＰに対応する利用認証済みの同伴ユーザの年齢に分類されている複数の登録ユーザでの歌唱回数の順位が、表されている。なお、図７に示す例では、当該順位が所定の範囲内（例えば１００位以内）に入っていないものに対しては、順位に代えて「圏外」のテキストが表されている。このとき、楽曲ランキングリストＬ１中の各カラオケ楽曲のうち、利用認証済みの同伴ユーザがよく歌唱するカラオケ楽曲又は歌唱したことがあるカラオケ楽曲や、利用認証済みの同伴ユーザが予め登録した好きなカラオケ楽曲については、その旨をマーク又は優先表示してもよい。また、楽曲ランキングリストＬ１中の各カラオケ楽曲のうち、上記ステップＳ３０で指定された画像ＰＰに対応する利用認証済みの同伴ユーザの年齢に分類されている複数の登録ユーザ間で全く又はほとんど歌唱されていないカラオケ楽曲や、利用認証済みの同伴ユーザが予め登録した歌唱してほしくないカラオケ楽曲については、その旨をマークしてもよい。
【００６０】
なお、上記ステップＳ３０で複数の画像ＰＰが指定された場合について、上記ステップＳ３０で２つの画像ＰＰが指定された場合を例にとって説明する。すなわち、この場合には、指定された２つの画像ＰＰのうち、一方の画像ＰＰに対応する利用認証済みの同伴ユーザの年齢に分類されている複数の登録ユーザでの歌唱回数の順位と、他方の画像ＰＰに対応する利用認証済みの同伴ユーザの年齢に分類されている複数の登録ユーザでの歌唱回数の順位とを、別々に表示してもよいし、これらの順位の平均値を表示してもよい。
【００６１】
図５に示すように、ステップＳ５０では、制御部２１のＣＰＵは、操作部２５を介して、上記楽曲ランキング画面Ｄ１中の楽曲ランキングリストＬ１に含まれる複数のカラオケ楽曲に係る楽曲名及び歌手名の順序を、上記ステップＳ３０で指定された画像ＰＰに対応する利用認証済みの同伴ユーザの年齢に分類されている複数の登録ユーザでの歌唱回数の順位に応じた順序にソートするためのソート操作として、操作ユーザの指等により、上記楽曲ランキング画面Ｄ１に含まれる「並べ替え」画像Ｐ８に対応する操作部２５部分がタッチされたか否かを判定する。上記ソート操作が受け付けられていない場合、つまり「並べ替え」画像Ｐ８に対応する操作部２５部分がタッチされていない場合には、ステップＳ５０の判定が満たされず、後述のステップＳ７０に移る。一方、上記ソート操作が受け付けられた場合、つまり「並べ替え」画像Ｐ８に対応する操作部２５部分がタッチされた場合には、ステップＳ５０の判定が満たされて、ステップＳ６０に移る。
【００６２】
ステップＳ６０では、制御部２１のＣＰＵは、上記楽曲ランキング画面Ｄ１中の楽曲ランキングリストＬ１に含まれる複数のカラオケ楽曲に係る楽曲名及び歌手名の順序を、上記ステップＳ３０で指定された画像ＰＰに対応する利用認証済みの同伴ユーザの年齢に分類されている複数の登録ユーザでの歌唱回数の順位に応じた順序にソートする。
【００６３】
図８に、上記ステップＳ６０の手順により、表示部２６に表示された楽曲ランキング画面Ｄ１の一例を示す。
【００６４】
図８に示す楽曲ランキング画面Ｄ１では、楽曲ランキングリストＬ１に含まれる複数のカラオケ楽曲に係る楽曲名及び歌手名の順序が、上記ステップＳ３０で指定された画像ＰＰに対応する利用認証済みの同伴ユーザの年齢に分類されている複数の登録ユーザでの歌唱回数の順位に応じた順序にソートされている。
【００６５】
図５に示すように、ステップＳ７０では、制御部２１のＣＰＵは、操作部２５を介して、音源１３等による、上記楽曲ランキング画面Ｄ１中の楽曲ランキングリストＬ１に含まれる複数のカラオケ楽曲のうち、いずれか１つの再生の予約を行うための予約操作が受け付けられたか否かを判定する。上記予約操作が受け付けられていない場合には、ステップＳ７０の判定は満たされず、上記ステップＳ３０に戻り、同様の手順を繰り返す。一方、上記予約操作が受け付けられた場合には、ステップＳ７０の判定が満たされて、ステップＳ８０に移る。
【００６６】
ステップＳ８０では、制御部２１のＣＰＵは、通信制御部２３により、上記ステップＳ７０で受け付けられた予約操作に基づく予約信号を、サーバ３０へ出力する。その後、このフローに示す処理が終了される。
【００６７】
一方、上記ステップＳ２０において、「歌手別」画像Ｐ３に対応する操作部２５部分がタッチされた場合には、ステップＳ２０の判定が満たされて、ステップＳ９０に移る。
【００６８】
ステップＳ９０では、制御部２１のＣＰＵは、ＲＡＭ又は大容量記憶装置２４に予め格納した操作ユーザに係るユーザ情報に含まれる年齢情報を参照し、上記ランキング情報記憶部２４１に記憶された年齢別歌手ランキング情報中の操作ユーザの年齢部分を抽出して、後述の歌手ランキングリストＬ２（ランキングリスト。後述の図９参照）を生成する。また、制御部２１のＣＰＵは、ＲＡＭ又は大容量記憶装置２４に予め格納した利用認証済みの同伴ユーザに係るユーザ情報に含まれる画像データを取得する。そして、制御部２１のＣＰＵは、上記生成した歌手ランキングリストＬ２と、上記取得した利用認証済みの同伴ユーザに係る画像データに対応する画像ＰＰとを含む歌手ランキング画面を、表示部２６に表示させる。
【００６９】
図９に、上記ステップＳ９０の手順により、表示部２６に表示された歌手ランキング画面の一例を示す。
【００７０】
図９に示す歌手ランキング画面Ｄ２は、「あなたの年齢のカラオケランキング」画像Ｐ１と、「曲別」画像Ｐ２と、「歌手別」画像Ｐ３と、歌手ランキングリストＬ２と、「前」画像Ｐ４と、「後」画像Ｐ５と、１人以上（この例では３人）の利用認証済みの同伴ユーザに係る１つ以上（この例では３つ）の画像ＰＰと、「ＴＯＰ」画像Ｐ６と、「戻る」画像Ｐ７とを含む。
【００７１】
歌手ランキングリストＬ２には、複数の歌手の操作ユーザに関する順位として、操作ユーザの年齢に分類されている複数の登録ユーザでの歌唱回数の順位が、複数の歌手に係る識別情報である歌手名と共に表されている。このとき、歌手ランキングリストＬ２中の各歌手のうち、いわゆる急上昇歌手（例えば、先週１００位→今週１０位となった歌手）等については、その旨をマーク又は優先表示してもよい。特に上記急上昇歌手については、その理由をソーシャルネットワーキングサービスで配信したり表示部２６に表示してもよい。また、歌手ランキングリストＬ２中の各歌手のうち、操作ユーザがよく歌唱する歌手又は歌唱したことがある歌手や、操作ユーザが好きな歌手については、その旨をマーク又は優先表示してもよい。
【００７２】
図５に示すように、ステップＳ１００では、制御部２１のＣＰＵは、操作部２５を介して、上記歌手ランキング画面Ｄ２に含まれる１つ以上の画像ＰＰのうち、対象とする利用認証済みの同伴ユーザに係る画像ＰＰを指定するための指定操作として、操作ユーザの指等により、上記対象とする利用認証済みの同伴ユーザに係る画像ＰＰに対応する操作部２５部分がタッチされることで当該画像ＰＰが指定されたか否かを判定する。なお、対象とする利用認証済みの同伴ユーザに係る画像ＰＰは、１つのみに限られるものではなく、複数でもよい。上記指定操作が受け付けられていない場合、つまり上記対象とする利用認証済みの同伴ユーザに係る画像ＰＰに対応する操作部２５部分がタッチされていない場合には、ステップＳ１００の判定は満たされず、後述のステップＳ１４０に移る。一方、上記指定操作が受け付けられた場合、つまり上記対象とする利用認証済みの同伴ユーザに係る画像ＰＰに対応する操作部２５部分がタッチされることで当該画像ＰＰが指定された場合には、ステップＳ１００の判定が満たされて、ステップＳ１１０に移る。
【００７３】
ステップＳ１１０では、制御部２１のＣＰＵは、ＲＡＭ又は大容量記憶装置２４に予め格納した、上記ステップＳ１００で指定された画像ＰＰに対応する利用認証済みの同伴ユーザに係るユーザ情報に含まれる年齢情報を参照し、上記ランキング情報記憶部２４１に記憶された年齢別歌手ランキング情報中の上記指定された画像ＰＰに対応する利用認証済みの同伴ユーザの年齢部分を抽出する。そして、制御部２１のＣＰＵは、上記歌手ランキングリストＬ２と、上記利用認証済みの同伴ユーザに係る画像ＰＰと、上記抽出した年齢別歌手ランキング情報中の上記指定された画像ＰＰに対応する利用認証済みの同伴ユーザの年齢部分に基づく、上記歌手ランキングリストＬ２に含まれる各歌手の、上記指定された画像ＰＰに関する順位として、当該画像ＰＰに対応する利用認証済みの同伴ユーザの年齢（又は生年）に分類されている複数の登録ユーザでの歌唱回数の順位とを含む、歌手ランキング画面Ｄ２を、表示部２６に表示させる。このとき、歌手ランキングリストＬ２中の各歌手のうち、利用認証済みの同伴ユーザがよく歌唱する歌手又は歌唱したことがある歌手や、利用認証済みの同伴ユーザが好きな歌手については、その旨をマーク又は優先表示してもよい。また、歌手ランキングリストＬ２中の各歌手のうち、上記ステップＳ１００で指定された画像ＰＰに対応する利用認証済みの同伴ユーザの年齢に分類されている複数の登録ユーザ間で全く又はほとんど歌唱されていない歌手や、利用認証済みの同伴ユーザが予め登録した歌唱してほしくなく歌手については、その旨をマークしてもよい。
【００７４】
なお、上記ステップＳ１００で複数の画像ＰＰが指定された場合について、上記ステップＳ１００で２つの画像ＰＰが指定された場合を例にとって説明する。すなわち、この場合には、指定された２つの画像ＰＰのうち、一方の画像ＰＰに対応する利用認証済みの同伴ユーザの年齢に分類されている複数の登録ユーザでの歌唱回数の順位と、他方の画像ＰＰに対応する利用認証済みの同伴ユーザの年齢に分類されている複数の登録ユーザでの歌唱回数の順位とを、別々に表示してもよいし、これらの順位の平均値を表示してもよい。
【００７５】
その後、ステップＳ１２０に移り、制御部２１のＣＰＵは、操作部２５を介して、上記歌手ランキング画面Ｄ２中の歌手ランキングリストＬ２に含まれる複数の歌手に係る歌手名の順序を、上記ステップＳ１００で指定された画像ＰＰに対応する利用認証済みの同伴ユーザの年齢に分類されている複数の登録ユーザでの歌唱回数の順位に応じた順序にソートするためのソート操作として、操作ユーザの指等により、上記歌手ランキング画面Ｄ２に含まれる「並べ替え」画像Ｐ８に対応する操作部２５部分がタッチされたか否かを判定する。上記ソート操作が受け付けられていない場合、つまり「並べ替え」画像Ｐ８に対応する操作部２５部分がタッチされていない場合には、ステップＳ１２０の判定が満たされず、後述のステップＳ１４０に移る。一方、上記ソート操作が受け付けられた場合、つまり「並べ替え」画像Ｐ８に対応する操作部２５部分がタッチされた場合には、ステップＳ１２０の判定が満たされて、ステップＳ１３０に移る。
【００７６】
ステップＳ１３０では、制御部２１のＣＰＵは、上記歌手ランキング画面Ｄ２中の歌手ランキングリストＬ２に含まれる複数の歌手に係る歌手名の順序を、上記ステップＳ１００で指定された画像ＰＰに対応する利用認証済みの同伴ユーザの年齢に分類されている複数の登録ユーザでの歌唱回数の順位に応じた順序にソートする。
【００７７】
そして、ステップＳ１４０で、制御部２１のＣＰＵは、操作部２５を介して、上記歌手ランキング画面Ｄ２中の楽曲ランキングリストＬ１に含まれる複数の歌手のうち、対象とする１の歌手を選択するための選択操作として、操作ユーザの指等により、上記対象とする１の歌手に係る歌手名を含む欄に対応する操作部２５部分がタッチされることで当該歌手が選択されたか否かを判定する。上記選択操作が受け付けられていない場合、つまり上記対象とする１の歌手に係る歌手名を含む欄に対応する操作部２５部分がタッチされていない場合には、ステップＳ１４０の判定は満たされず、ループして待機する。一方、上記選択操作が受け付けられた場合、つまり上記対象とする１の歌手に係る歌手名を含む欄に対応する操作部２５部分がタッチされることで当該歌手が選択された場合には、ステップＳ１４０の判定が満たされて、ステップＳ１５０に移る。なお、このステップＳ１４０の手順を実行する制御部２１のＣＰＵが、特許請求の範囲に記載の選択受付手段として機能する。
【００７８】
ステップＳ１５０では、制御部２１のＣＰＵは、ＲＡＭ又は大容量記憶装置２４に予め格納した操作ユーザに係るユーザ情報に含まれる年齢情報を参照し、上記ランキング情報記憶部２４１に記憶された年齢別楽曲ランキング情報中の操作ユーザの年齢部分を抽出して、後述の楽曲ランキングリストＬ３（ランキングリスト。後述の図１０参照）を生成する。また、制御部２１のＣＰＵは、ＲＡＭ又は大容量記憶装置２４に予め格納した利用認証済みの同伴ユーザに係るユーザ情報に含まれる画像データを取得する。そして、制御部２１のＣＰＵは、上記生成した楽曲ランキングリストＬ３と、上記取得した利用認証済みの同伴ユーザに係る画像データに対応する画像ＰＰとを含む楽曲ランキング画面を、表示部２６に表示させる。
【００７９】
図１０に、上記ステップＳ１５０の手順により、表示部２６に表示された楽曲ランキング画面の一例を示す。
【００８０】
図１０に示す楽曲ランキング画面Ｄ３は、「あなたの年齢のカラオケランキング」画像Ｐ１と、楽曲ランキングリストＬ３と、「前」画像Ｐ４と、「後」画像Ｐ５と、１人以上（この例では３人）の利用認証済みの同伴ユーザに係る１つ以上（この例では３つ）の画像ＰＰと、「ＴＯＰ」画像Ｐ６と、「戻る」画像Ｐ７とを含む。
【００８１】
楽曲ランキングリストＬ３には、上記ステップＳ１４０で選択された歌手に係る複数のカラオケ楽曲の操作ユーザに関する順位として、操作ユーザの年齢に分類されている複数の登録ユーザでの歌唱回数の順位が、上記選択された歌手に係る複数のカラオケ楽曲に係る楽曲名と共に表されている。このとき、楽曲ランキングリストＬ３中の各カラオケ楽曲のうち、いわゆる急上昇曲（例えば、先週１０位→今週１位となったカラオケ楽曲）や新曲等については、その旨をマーク又は優先表示してもよい。特に上記急上昇曲については、その理由をソーシャルネットワーキングサービスで配信したり表示部２６に表示してもよい。また、楽曲ランキングリストＬ３中の各カラオケ楽曲のうち、操作ユーザがよく歌唱するカラオケ楽曲又は歌唱したことがあるカラオケ楽曲や、操作ユーザが好きなカラオケ楽曲については、その旨をマーク又は優先表示してもよい。
【００８２】
図５に示すように、ステップＳ１６０では、制御部２１のＣＰＵは、操作部２５を介して、上記楽曲ランキング画面Ｄ３に含まれる１つ以上の画像ＰＰのうち、対象とする利用認証済みの同伴ユーザに係る画像ＰＰを指定するための指定操作として、操作ユーザの指等により、上記対象とする利用認証済みの同伴ユーザに係る画像ＰＰに対応する操作部２５部分がタッチされることで当該画像ＰＰが指定されたか否かを判定する。なお、対象とする利用認証済みの同伴ユーザに係る画像ＰＰは、１つのみに限られるものではなく、複数でもよい。上記指定操作が受け付けられていない場合、つまり上記対象とする利用認証済みの同伴ユーザに係る画像ＰＰに対応する操作部２５部分がタッチされていない場合には、ステップＳ１６０の判定は満たされず、後述のステップＳ２００に移る。一方、上記指定操作が受け付けられた場合、つまり上記対象とする利用認証済みの同伴ユーザに係る画像ＰＰに対応する操作部２５部分がタッチされることで当該画像ＰＰが指定された場合には、ステップＳ１６０の判定が満たされて、ステップＳ１７０に移る。
【００８３】
ステップＳ１７０では、制御部２１のＣＰＵは、ＲＡＭ又は大容量記憶装置２４に予め格納した、上記ステップＳ１６０で指定された画像ＰＰに対応する利用認証済みの同伴ユーザに係るユーザ情報に含まれる年齢情報を参照し、上記ランキング情報記憶部２４１に記憶された年齢別楽曲ランキング情報中の上記指定された画像ＰＰに対応する利用認証済みの同伴ユーザの年齢部分を抽出する。そして、制御部２１のＣＰＵは、上記楽曲ランキングリストＬ３と、上記利用認証済みの同伴ユーザに係る画像ＰＰと、上記抽出した年齢別楽曲ランキング情報中の上記指定された画像ＰＰに対応する利用認証済みの同伴ユーザの年齢部分に基づく、上記楽曲ランキングリストＬ３に含まれる各カラオケ楽曲の、上記指定された画像ＰＰに関する順位として、当該指定された画像ＰＰに対応する利用認証済みの同伴ユーザの年齢（又は生年）に分類されている複数の登録ユーザでの歌唱回数の順位とを含む、楽曲ランキング画面Ｄ３を、表示部２６に表示させる。このとき、楽曲ランキングリストＬ３中の各カラオケ楽曲のうち、利用認証済みの同伴ユーザがよく歌唱するカラオケ楽曲又は歌唱したことがあるカラオケ楽曲や、利用認証済みの同伴ユーザが好きなカラオケ楽曲については、その旨をマーク又は優先表示してもよい。また、楽曲ランキングリストＬ３中の各カラオケ楽曲のうち、上記ステップＳ１６０で指定された画像ＰＰに対応する利用認証済みの同伴ユーザの年齢に分類されている複数の登録ユーザ間で全く又はほとんど歌唱されていないカラオケ楽曲や、利用認証済みの同伴ユーザが予め登録した歌唱してほしくないカラオケ楽曲については、その旨をマークしてもよい。
【００８４】
なお、上記ステップＳ１６０で複数の画像ＰＰが指定された場合について、上記ステップＳ１６０で２つの画像ＰＰが指定された場合を例にとって説明する。すなわち、この場合には、指定された２つの画像ＰＰのうち、一方の画像ＰＰに対応する利用認証済みの同伴ユーザの年齢に分類されている複数の登録ユーザでの歌唱回数の順位と、他方の画像ＰＰに対応する利用認証済みの同伴ユーザの年齢に分類されている複数の登録ユーザでの歌唱回数の順位とを、別々に表示してもよいし、これらの順位の平均値を表示してもよい。
【００８５】
その後、ステップＳ１８０に移り、制御部２１のＣＰＵは、操作部２５を介して、上記楽曲ランキング画面Ｄ３中の楽曲ランキングリストＬ３に含まれる複数のカラオケ楽曲に係る楽曲名の順序を、上記ステップＳ１７０で指定された画像ＰＰに対応する利用認証済みの同伴ユーザの年齢に分類されている複数の登録ユーザでの歌唱回数の順位に応じた順序にソートするためのソート操作として、操作ユーザの指等により、上記楽曲ランキング画面Ｄ３に含まれる「並べ替え」画像Ｐ８に対応する操作部２５部分がタッチされたか否かを判定する。上記ソート操作が受け付けられていない場合、つまり「並べ替え」画像Ｐ８に対応する操作部２５部分がタッチされていない場合には、ステップＳ１８０の判定が満たされず、後述のステップＳ２００に移る。一方、上記ソート操作が受け付けられた場合、つまり「並べ替え」画像Ｐ８に対応する操作部２５部分がタッチされた場合には、ステップＳ１８０の判定が満たされて、ステップＳ１９０に移る。
【００８６】
ステップＳ１９０では、制御部２１のＣＰＵは、上記楽曲ランキング画面Ｄ３中の楽曲ランキングリストＬ３に含まれる複数のカラオケ楽曲に係る楽曲名の順序を、上記ステップＳ１８０で指定された画像ＰＰに対応する利用認証済みの同伴ユーザの年齢に分類されている複数の登録ユーザでの歌唱回数の順位に応じた順序にソートする。
【００８７】
そして、ステップＳ２００で、制御部２１のＣＰＵは、操作部２５を介して、音源１３等による、上記楽曲ランキング画面Ｄ３中の楽曲ランキングリストＬ３に含まれる複数のカラオケ楽曲のうち、いずれか１つの再生の予約を行うための予約操作が受け付けられたか否かを判定する。上記予約操作が受け付けられていない場合には、ステップＳ２００の判定は満たされず、ループして待機する。一方、上記予約操作が受け付けられた場合には、ステップＳ２００の判定が満たされて、ステップＳ２１０に移る。
【００８８】
ステップＳ２１０では、制御部２１のＣＰＵは、通信制御部２３により、上記ステップＳ２００で受け付けられた予約操作に基づく予約信号を、サーバ３０へ出力する。その後、このフローに示す処理が終了される。
【００８９】
なお、上記において、上記ステップＳ１０、ステップＳ９０、及びステップＳ１５０の手順が、特許請求の範囲に記載の第１表示制御手段として機能すると共に、第１表示制御手順に相当する。また、上記ステップＳ３０、ステップＳ１００、及びステップＳ１６０の手順が、特許請求の範囲に記載の指定受付手段として機能すると共に、指定受付手順に相当する。また、上記ステップＳ４０、ステップＳ１１０、及びステップＳ１７０の手順が、特許請求の範囲に記載の第２表示制御手段として機能すると共に、第２表示制御手順に相当する。また、上記ステップＳ５０、ステップＳ１２０、及びステップＳ１８０の手順が、特許請求の範囲に記載のソート受付手段として機能する。
【００９０】
以上説明したように、本実施形態においては、操作部２５の操作に応じて、ランキング情報記憶部２４１に記憶された年齢別楽曲ランキング情報や年齢別歌手ランキング情報に基づき、複数のカラオケ楽曲や複数の歌手の操作ユーザに関する順位が表された楽曲ランキングリストＬ１，Ｌ３や歌手ランキングリストＬ２が、表示部２６に表示される。これにより、ユーザは、自分に関する楽曲ランキングや歌手ランキングを参考しつつ選曲を行うことができる。
【００９１】
また、本実施形態では、操作部２５を介して、１人以上の他ユーザ（上記の例では特に利用認証済みの同伴ユーザ）のうち、対象とする他ユーザに係る他ユーザ情報（上記の例では特に画像ＰＰ）を指定するための指定操作が受け付けられる。すると、楽曲ランキングリストＬ１，Ｌ３や歌手ランキングリストＬ２と併せて、ランキング情報記憶部２４１に記憶された年齢別楽曲ランキング情報や年齢別歌手ランキング情報に基づき、楽曲ランキングリストＬ１，Ｌ３や歌手ランキングリストＬ２中の各カラオケ楽曲や各歌手の、上記指定操作により指定された他ユーザ情報に関する順位が、表示部２６に表示される。これにより、ユーザは、自分に関する楽曲ランキングや歌手ランキングを参考しつつ選曲を行う際に、当該楽曲ランキングや歌手ランキング中の各カラオケ楽曲や各歌手の他人に関する順位を視覚的に一目で理解することができる。この結果、ユーザは、自分に関する楽曲ランキングや歌手ランキングを参考しつつ選曲を行う際に、他人に関する順位を考慮しつつ選曲を行うことができるので、ユーザの利便性を向上することができる。
【００９２】
また、本実施形態では特に、操作部２５を介して、１人以上の同伴ユーザ（上記の例では特に利用認証済みの同伴ユーザ）のうち、対象とする同伴ユーザ（上記の例では特に利用認証済みの同伴ユーザ）に係る同伴ユーザ情報（上記の例では特に画像ＰＰ）を指定するための指定操作が受け付けられる。すると、楽曲ランキングリストＬ１，Ｌ３や歌手ランキングリストＬ２と併せて、楽曲ランキングリストＬ１，Ｌ３や歌手ランキングリストＬ２中の各カラオケ楽曲や各歌手の、上記指定操作により指定された同伴ユーザ情報に関する順位が、表示部２６に表示される。これにより、ユーザは、自分に関する楽曲ランキングや歌手ランキングを参考しつつ選曲を行う際に、同伴者に関する順位を考慮しつつ選曲を行うことができるので、ユーザの利便性を確実に向上することができる。
【００９３】
また、本実施形態では特に、複数のカラオケ楽曲や歌手の、操作ユーザの年齢に分類されている複数の登録ユーザでの順位が表された楽曲ランキングリストＬ１，Ｌ３や歌手ランキングリストＬ２が、表示部２６に表示される。これにより、ユーザは、自分と同じ年齢の人での楽曲ランキングや歌手ランキングを参考しつつ選曲を行うことができる。
【００９４】
また、本実施形態では特に、操作部２５を介して、表示部２６に表示された、１人以上の利用認証済みの同伴ユーザのうち、対象とする利用認証済みの同伴ユーザに係る画像ＰＰを指定するための指定操作が受け付けられる。すると、楽曲ランキングリストＬ１，Ｌ３や歌手ランキングリストＬ２と併せて、楽曲ランキングリストＬ１，Ｌ３や歌手ランキングリストＬ２中の各カラオケ楽曲や各歌手の、上記指定操作により指定された画像ＰＰに対応する利用認証済みの同伴ユーザの年齢に分類されている複数の登録ユーザでの順位が、表示部２６に表示される。これにより、ユーザは、自分と同じ年齢の人での楽曲ランキングや歌手ランキングを参考しつつ選曲を行う際に、利用認証済みの同伴者と同じ年齢の人での順位を考慮しつつ選曲を行うことができるので、ユーザの利便性を確実に向上することができる。
【００９５】
また、本実施形態では特に、複数の歌手の、操作ユーザの年齢に分類されている複数の登録ユーザでの順位が表された歌手ランキングリストＬ２が、表示部２６に表示される。そして、表示部２６に歌手ランキングリストＬ２が表示された状態において、操作部２５を介して、歌手ランキングリストＬ２中の複数の歌手のうち、対象とする１の歌手を選択するための選択操作が受け付けられる。すると、上記選択操作により選択された歌手に係る複数のカラオケ楽曲の操作ユーザの年齢に分類されている複数の登録ユーザでの順位が表された楽曲ランキングリストＬ３が、表示部２６に表示される。これにより、ユーザは、所望の歌手に係る複数のカラオケ楽曲について、自分と同じ年齢の人でのランキングを参考しつつ選曲を行うことができる。
【００９６】
また、本実施形態では特に、操作部２５を介して、楽曲ランキングリストＬ１，Ｌ３や歌手ランキングリストＬ２中の複数のカラオケ楽曲に係る楽曲名及び歌手名や複数の歌手に係る歌手名の順序を、上記指定操作により指定された画像ＰＰに対応する利用認証済みの同伴ユーザの年齢に分類されている複数の登録ユーザでの順位に応じた順序にソートするためのソート操作が受け付けられる。これにより、楽曲ランキングリストＬ１，Ｌ３中の複数のカラオケ楽曲に係る楽曲名及び歌手名や歌手ランキングリストＬ２中の複数の歌手に係る歌手名の順序を、ユーザが指定した同伴ユーザと同じ年齢の人での順位に応じた順序にソートすることができるので、ユーザの利便性をより向上することができる。
【００９７】
また、本実施形態では特に、ランキング情報記憶部２４１は、ユーザに関する複数のカラオケ楽曲の歌唱履歴に基づく年齢別楽曲ランキング情報や年齢別歌手ランキング情報を記憶する。これにより、ユーザと同じ年齢の人による歌唱履歴に基づく、楽曲ランキングリストＬ１，Ｌ３や歌手ランキングリストＬ２を、表示部２６に表示することができる。これにより、ユーザは、自分と同じ年齢の人での楽曲ランキングや歌手ランキングを参考しつつ選曲を行う際に、利用認証済みの同伴者と同じ年齢の人での歌唱回数による順位を考慮しつつ選曲を行うことができる。
【００９８】
なお、本発明は、上記実施形態に限られるものではなく、その趣旨及び技術的思想を逸脱しない範囲内で種々の変形が可能である。以下、そのような変形例を順を追って説明する。
【００９９】
（１）同伴ユーザの年齢を指定する場合
上記実施形態では、操作ユーザは、操作部２５を介して、表示部２６に表示された、対象とする利用認証済みの同伴ユーザに係る画像ＰＰを指定するための指定操作として、指等により、対象とする利用認証済みの同伴ユーザに係る画像ＰＰに対応する操作部２５部分をタッチすることで当該画像ＰＰを指定していたが、これに限られない。
【０１００】
すなわち、本変形例では、操作ユーザは、操作部２５を介して、対象とする同伴ユーザの年齢（他ユーザ情報、同伴ユーザ情報、第２同伴ユーザ属性。実際の年齢に限らず見かけの年齢等でもよい。又は生年でもよい）を指定するための指定操作として、指等により、対象とする同伴ユーザの年齢を入力することで当該年齢を指定したり、前述の楽曲ランキング画面Ｄ１に含まれる複数の年齢がそれぞれ表された複数の画像（図示せず）のうち、対象とする同伴ユーザの年齢に対応する画像に対応する操作部２５部分をタッチすることで当該年齢を指定する。
【０１０１】
制御部２１のＣＰＵは、上記指定操作を受け付けると、前述のランキング情報記憶部２４１に記憶された年齢別楽曲ランキング情報中の上記指定された年齢部分を抽出する。そして、制御部２１のＣＰＵは、上記楽曲ランキングリストＬ１と併せて、上記抽出した年齢別楽曲ランキング情報中の上記指定された年齢部分に基づく、上記楽曲ランキングリストＬ１に含まれる各カラオケ楽曲の、上記指定された年齢に関する順位（第２順位）として、当該年齢に適合する、つまり当該年齢に分類されている複数の登録ユーザ（第３適合ユーザ）での歌唱回数の順位を含む、楽曲ランキング画面を、表示部２６に表示させる。なお、上記指定された年齢に関する順位としては、上記に限られず、当該年齢に適合する、つまり当該年齢を含む年齢範囲に分類されている複数の登録ユーザでの歌唱回数の順位でもよい。
【０１０２】
なお、上記では、前述の楽曲ランキング画面Ｄ１が表示された状態において上記指定操作が受け付けられた場合について説明したが、前述の歌手ランキング画面Ｄ２が表示された状態において上記指定操作が受け付けられた場合や、前述の楽曲ランキング画面Ｄ３が表示された状態において上記指定操作が受け付けられた場合についても、上記と同様にして適用できる。
【０１０３】
以上説明した本変形例によれば、ユーザは、自分と同じ年齢での楽曲ランキングや歌手ランキングを参考しつつ選曲を行う際に、同伴者が利用認証なされていなくても、同伴者の年齢を指定することで、指定された年齢の人での歌唱回数の順位を考慮しつつ選曲を行うことができるので、ユーザの利便性を確実に向上することができる。
【０１０４】
（２）順位差が大きいものは表示態様を変える場合
すなわち、制御部２１のＣＰＵは、前述の楽曲ランキングリストＬ１と、楽曲ランキングリストＬ１に含まれる各カラオケ楽曲手の、前述の指定操作により指定された画像ＰＰに対応する利用認証済みの同伴ユーザの年齢に分類されている複数の登録ユーザでの歌唱回数の順位とを含む、前述の楽曲ランキング画面Ｄ１を表示部２６に表示させる際に、楽曲ランキングリストＬ１に含まれる複数のカラオケ楽曲のうち、操作ユーザの年齢に分類されている複数の登録ユーザでの歌唱回数の順位と、上記指定操作により指定された画像ＰＰに対応する利用認証済みの同伴ユーザの年齢に分類されている複数の登録ユーザでの歌唱回数の順位との順位差が、所定の値（例えば１００）よりも大きいカラオケ楽曲に関する表示態様を、他のカラオケ楽曲に関する表示態様と異ならせる。例えば、制御部２１のＣＰＵは、上記順位差が所定の値よりも大きいカラオケ楽曲に係る楽曲名及び歌手名を含む欄中に適宜のマークやテキストを表示したり、当該欄の色や大きさを変える。
【０１０５】
なお、上記では、前述の楽曲ランキング画面Ｄ１を表示させる場合について説明したが、前述の歌手ランキング画面Ｄ２を表示させる場合や、前述の楽曲ランキング画面Ｄ３を表示させる場合についても、上記と同様にして適用できる。
【０１０６】
以上説明した本変形例によれば、ユーザは、自分と同じ年齢での歌唱回数の順位と同伴者と同じ年齢での歌唱回数の順位との順位差が大きいカラオケ楽曲を、視覚的に一目で容易に理解することができる。
【０１０７】
（３）所定の属性の歌唱履歴に基づくランキング情報を記憶する場合
例えば、ランキング情報記憶部２４１は、所定の属性として、更新頻度が所定の頻度しきい値（例えば１回／１ヶ月）よりも高い歌唱履歴を持つ登録ユーザ（つまり、カラオケによく行く登録ユーザ）のみの歌唱履歴情報に基づく、年齢別楽曲ランキング情報及び年齢別歌手ランキング情報を記憶してもよい。この場合には、制御部２１のＣＰＵは、更新頻度が所定の頻度しきい値よりも高い歌唱履歴を持つ登録ユーザのみの歌唱履歴情報に基づく年齢別楽曲ランキング情報や年齢別歌手ランキング情報を用いて、楽曲ランキングリストＬ１，Ｌ３や歌手ランキングリストＬ２を生成することができる。これにより、ユーザは、自分と同じ年齢のカラオケによく行く人での楽曲ランキングや歌手ランキングを参考しつつ選曲を行うことができる。
【０１０８】
また例えば、ランキング情報記憶部２４１は、所定の属性として、更新頻度が所定の頻度しきい値（例えば１回／１ヶ月）よりも低い歌唱履歴を持つ登録ユーザ（つまり、カラオケにあまり行かない登録ユーザ）のみの歌唱履歴情報に基づく、年齢別楽曲ランキング情報及び年齢別歌手ランキング情報を記憶してもよい。この場合には、制御部２１のＣＰＵは、更新頻度が所定の頻度しきい値よりも低い歌唱履歴を持つ登録ユーザのみの歌唱履歴情報に基づく年齢別楽曲ランキング情報や年齢別歌手ランキング情報を用いて、楽曲ランキングリストＬ１，Ｌ３や歌手ランキングリストＬ２を生成することができる。これにより、ユーザは、自分と同じ年齢のカラオケにあまり行かない人での楽曲ランキングや歌手ランキングを参考しつつ選曲を行うことができる。
【０１０９】
また例えば、ランキング情報記憶部２４１は、所定の属性として、所定の期間（例えば、直近１ヶ月、１ヶ月前、夏、１２月、夜等）の歌唱履歴情報に基づく、年齢別楽曲ランキング情報及び年齢別歌手ランキング情報を記憶してもよい。この場合には、制御部２１のＣＰＵは、所定の期間の歌唱履歴情報に基づく年齢別楽曲ランキング情報や年齢別歌手ランキング情報を用いて、楽曲ランキングリストＬ１，Ｌ３や歌手ランキングリストＬ２を生成することができる。これにより、ユーザは、自分と同じ年齢の人での所定の期間における楽曲ランキングや歌手ランキングを参考しつつ選曲を行うことができる。
【０１１０】
また例えば、ランキング情報記憶部２４１は、所定の属性として、所定の地域（例えば関東等）の歌唱履歴情報に基づく、年齢別楽曲ランキング情報及び年齢別歌手ランキング情報を記憶してもよい。この場合には、制御部２１のＣＰＵは、所定の地域の歌唱履歴情報に基づく年齢別楽曲ランキング情報や年齢別歌手ランキング情報を用いて、楽曲ランキングリストＬ１，Ｌ３や歌手ランキングリストＬ２を生成することができる。これにより、ユーザは、自分と同じ年齢の人での所定の地域における楽曲ランキングや歌手ランキングを参考しつつ選曲を行うことができる。
【０１１１】
また例えば、ランキング情報記憶部２４１は、所定の属性として、利用認証済みのユーザ（言い換えれば、カラオケルームＫＲ内の人）のみの歌唱履歴情報に基づく、年齢別楽曲ランキング情報及び年齢別歌手ランキング情報を記憶してもよい。この場合には、制御部２１のＣＰＵは、利用認証済みのユーザのみの歌唱履歴情報に基づく年齢別楽曲ランキング情報や年齢別歌手ランキング情報を用いて、楽曲ランキングリストＬ１，Ｌ３や歌手ランキングリストＬ２を生成することができる。これにより、ユーザは、自分と同じ年齢のカラオケルームＫＲ内の人での楽曲ランキングや歌手ランキングを参考しつつ選曲を行うことができる。
【０１１２】
（４）その他
なお、上記実施形態では、１人以上の利用認証済みの同伴ユーザに係る画像ＰＰを表示部２６に表示させ、対象とする利用認証済みの同伴ユーザに係る画像ＰＰを指定（選択）するための指定操作を受け付け、楽曲ランキングリストＬ１，Ｌ３や歌手ランキングリストＬ２と併せて、指定操作により指定された画像ＰＰに対応する利用認証済みの同伴ユーザの年齢に分類されている複数の登録ユーザでの歌唱回数の順位を、表示部２６に表示させていたが、これに限られない。例えば、１人以上の利用認証済みの同伴ユーザに係る年齢（他ユーザ情報、同伴ユーザ情報。又は生年でもよい）を表示部２６に表示させ、対象とする利用認証済みの同伴ユーザに係る年齢（又は生年）を指定（選択）するための指定操作を受け付け、楽曲ランキングリストＬ１，Ｌ３や歌手ランキングリストＬ２と併せて、指定操作により指定された年齢に分類されている複数の登録ユーザでの歌唱回数の順位を、表示部２６に表示させてもよい。また例えば、１人以上の利用認証済みの同伴ユーザに係る名称（他ユーザ情報、同伴ユーザ情報）を表示部２６に表示させ、対象とする利用認証済みの同伴ユーザに係る名称を指定（選択）するための指定操作を受け付け、楽曲ランキングリストＬ１，Ｌ３や歌手ランキングリストＬ２と併せて、指定操作により指定された名称に対応する利用認証済みの同伴ユーザの年齢に分類されている複数の登録ユーザでの歌唱回数の順位を、表示部２６に表示させてもよい。
【０１１３】
また、上記実施形態では、複数のカラオケ楽曲や複数の歌手の、操作ユーザの年齢に分類されている複数の登録ユーザでの歌唱回数の順位が表された、楽曲ランキングリストＬ１，Ｌ３や歌手ランキングリストＬ２を、表示部２６に表示させていたが、これに限られない。例えば、複数のカラオケ楽曲や複数の歌手の、操作ユーザに係る少なくとも年齢（又は生年でもよい）を含む属性（操作ユーザ属性。例えば年齢以外に性別や嗜好等を含んでもよい）に適合する複数の登録ユーザでの歌唱回数の順位が表された、楽曲ランキングリストＬ１，Ｌ３や歌手ランキングリストＬ２を、表示部２６に表示させてもよい。
【０１１４】
また、上記実施形態では、楽曲ランキングリストＬ１，Ｌ３や歌手ランキングリストＬ２と併せて、指定操作により指定された画像ＰＰに対応する利用認証済みの同伴ユーザの年齢に分類されている複数の登録ユーザでの歌唱回数の順位を、表示部２６に表示させていたが、これに限られない。例えば、楽曲ランキングリストＬ１，Ｌ３や歌手ランキングリストＬ２と併せて、指定操作により指定された画像ＰＰに対応する利用認証済みの同伴ユーザに係る少なくとも年齢（又は生年でもよい）を含む属性（第１同伴ユーザ属性。例えば年齢以外に性別や嗜好等を含んでもよい）に適合する複数の登録ユーザでの歌唱回数の順位を、表示部２６に表示させてもよい。
【０１１５】
また、上記（１）の変形例では、操作部２５を介して、対象とする同伴ユーザの年齢を指定するための指定操作を受け付けていたが、これに限られない。例えば、操作部２５を介して、対象とする同伴ユーザに係る少なくとも年齢（又は生年でもよい）を含む属性（他ユーザ情報、同伴ユーザ情報、第２同伴ユーザ属性。例えば年齢以外に性別や嗜好等を含んでもよい）年齢を指定するための指定操作を受け付けてもよい。
【０１１６】
また、上記実施形態では、操作ユーザが利用認証済みである場合ついて説明したが、操作ユーザが利用認証がなされていない場合についても適用可能である。例えば、操作ユーザが利用認証がなされていない場合には、操作ユーザが操作部２５を介して自分の年齢（又は生年でもよい）を入力することで、制御部２１のＣＰＵは、上記ランキング情報記憶部２４１に記憶された年齢別楽曲ランキング情報や年齢別歌手ランキング情報中の操作ユーザの年齢部分を抽出して、楽曲ランキングリストＬ１，Ｌ３や歌手ランキングリストＬ２を生成することができる。
【０１１７】
また、以上では、楽曲ランキングリストＬ１等を性別を区別することなく表示していたが、これに限られず、操作部２５の操作に応じて、性別を区別しない楽曲ランキングリストＬ１等、男性のみの楽曲ランキングリストＬ１等、女性のみの楽曲ランキングリストＬ１等を、切り替え可能に表示してもよい。また、楽曲ランキングリストＬ１等と併せて表示される、楽曲ランキングリストＬ１中の各カラオケ楽曲等の他ユーザに関する順位についても同様に、操作部２５の操作に応じて、各カラオケ楽曲等の性別を区別しない他ユーザに関する順位、各カラオケ楽曲等の男性のみの他ユーザに関する順位、各カラオケ楽曲等の女性のみの他ユーザに関する順位のように、切り替え可能に表示してもよい。
【０１１８】
また、以上では、年齢別楽曲ランキング情報や年齢別歌手ランキング情報は、ユーザに関する複数のカラオケ楽曲の歌唱履歴に基づくものであったが、これに限られない。例えば、年齢別楽曲ランキング情報や年齢別歌手ランキング情報は、ユーザに関する一般商品（商品。例えば、ＣＤ、ＤＶＤ、カラオケ楽曲や歌手に関連する商品、いわゆる着うた等）の購入履歴（消費履歴）に基づくものであってもよい。
【０１１９】
また、以上では、操作端末がリモコン２０である場合について説明したが、操作端末としては、これに限られず、携帯電話やいわゆるタブレットＰＣ等でもよい。この場合には、携帯電話やタブレットＰＣのＣＰＵ（演算手段）に対し上記図５のフローに示す各手順に対応する各手順を実行させるためのカラオケプログラムを、適宜の外部サーバから適宜のネットワークを介し携帯電話やタブレットＰＣの大容量記憶装置等の適宜のメモリに記憶させる等すればよい。
【０１２０】
また、図１中に示す矢印は、信号の流れの一例を示すものであり、信号の流れ方向を限定するものではない。
【０１２１】
また、図５に示すフローチャートは、本発明を図示する手順に示す手順に限定するものではなく、発明の趣旨及び技術的思想を逸脱しない範囲内で手順の追加・削除又は順番の変更等をしてもよい。
【０１２２】
また、以上既に述べた以外にも、上記実施形態や各変形例による手法を適宜組み合わせて利用してもよい。
【０１２３】
その他、一々例示はしないが、本発明は、その趣旨を逸脱しない範囲内において、種々の変更が加えられて実施されるものである。
【符号の説明】
【０１２４】
１                カラオケシステム
１０              カラオケ装置（楽曲再生装置）
１３              音源
１４              音声制御部
２０              リモコン（操作端末）
２１              制御部
２３              通信制御部
２５              操作部（操作手段）
２６              表示部（表示手段）
３０              ホストサーバ（サーバ）
３１              制御部
３２              通信制御部
２４１            ランキング情報記憶部（第１記憶手段、第３記憶手段）
３３２            歌唱履歴記憶部（第２記憶手段）
Ｌ１              楽曲ランキングリスト（ランキングリスト）
Ｌ２              歌手ランキングリスト（ランキングリスト）
Ｌ３              楽曲ランキングリスト（ランキングリスト）
ＰＰ              画像（他ユーザ情報、同伴ユーザ情報）
【図１】
2014235293.tif 000003
【図２】
2014235293.tif 000004
【図３】
2014235293.tif 000005
【図４】
2014235293.tif 000006
【図５】
2014235293.tif 000007
【図６】
2014235293.tif 000008
【図７】
2014235293.tif 000009
【図８】
2014235293.tif 000010
【図９】
2014235293.tif 000011
【図１０】
2014235293.tif 000012